(57)【特許請求の範囲】
【請求項１】
機器に凸設される第１コネクタと、ケーブルの端部に設けられる第２コネクタとが接続されている際に、前記第１コネクタ及び前記第２コネクタが作業対象外であることを標示する装置であって、
前記第１コネクタに固定される第１固定部と、前記第２コネクタに固定される第２固定部とが一体として形成され、
前記第２固定部は、前記第２コネクタが挿入される側の断面が開口し、前記第２コネクタに未装着時にその内径が前記第２コネクタの外形より短い弾性体である、
ことを特徴とするコネクタ標示装置。
【請求項２】
請求項１に記載のコネクタ標示装置であって、
外面に前記ケーブルに関する情報が示されている
ことを特徴とするコネクタ標示装置。
【請求項３】
請求項１又は２に記載のコネクタ標示装置であって、
前記第１固定部は、前記第１コネクタから取り外し可能であり、
前記第２固定部は、前記第２コネクタ及び前記ケーブルに沿って前記第１コネクタから離隔する方向へスライド可能である
ことを特徴とするコネクタ標示装置。
【請求項４】
請求項１乃至３のいずれか一項に記載のコネクタ標示装置であって、
前記第１固定部は、第１コネクタが装着される側が開口し、両側面と上面とを有し、
前記第１固定部の前記上面に前記ケーブルに関する情報が標示されている
ことを特徴とするコネクタ標示装置。
【請求項５】
請求項１乃至４のいずれか一項に記載のコネクタ標示装置を用いて、前記第１コネクタ及び前記第２コネクタが作業対象外であることを標示する方法であって、
各ケーブルに関する情報を各コネクタ標示装置の外面に示すステップと、
各コネクタ標示装置を、前記機器に凸設される各第１コネクタと、各第１コネクタに接続される各第２コネクタとに固定するステップと、
作業対象である第１コネクタ及び第２コネクタに固定されているコネクタ標示装置を、当該第１コネクタから離隔する方向へスライドさせるステップと、
当該第１コネクタ及び当該第２コネクタに関する作業を行うステップと、
当該コネクタ標示装置を、前記スライドさせる前の位置に戻すステップと、
を実行することを特徴とするコネクタ標示方法。
【発明の詳細な説明】
【技術分野】
【０００１】
本発明は、コネクタが作業対象外であることを標示する装置及び方法に関する。
【背景技術】
【０００２】
従来、通信機器の前面において光コードの抜き差し等の作業を行う際に、当該作業の対象外の光コードに対する接触禁止を意味する危険区画標示を施すために、ビニールテープを使用して作業対象外の光コードを養生している。また、回線名称等が記載された丸札を、各光コードに紐で結んでいる。
【先行技術文献】
【特許文献】
【０００３】
【特許文献１】特開２０１０−９７７１２号公報
【発明の概要】
【発明が解決しようとする課題】
【０００４】
しかしながら、通信機器の一面に多数の光コードが挿設されている場合には、養生テープの取り回しに苦労し、容易に危険区画の標示ができない。詳細には、光コード同士の間隔が狭くなっており、作業性が悪く、作業対象外の光コードをビニールテープで養生する際に、他の光コードに支障を与えるおそれがある。また、光コードごとに結ばれた丸札は、非常に繁雑であり、光コードを養生する際に邪魔になる。
【０００５】
なお、特許文献１には、アダプタごとに光表示素子を配置し、コネクタプラグをアダプタに対して接続又は抜去する際に、対象アダプタの識別情報を光表示素子に発光させ、作業者が、その発光情報を識別可能な工具を用いて、対象アダプタの位置を確認しながら、挿抜作業を行うことが開示されているが、作業対象外の標示を行うものではない。
【０００６】
本発明は、上記課題を鑑みてなされたものであり、その主たる目的は、コネクタの作業対象外標示を安全かつ効率的に行うことにある。
【課題を解決するための手段】
【０００７】
上記課題を解決するために、本発明は、機器に凸設される第１コネクタと、ケーブルの端部に設けられる第２コネクタとが接続されている際に、前記第１コネクタ及び前記第２コネクタが作業対象外であることを標示する装置（コネクタ標示装置）であって、前記第１コネクタに固定される第１固定部と、前記第２コネクタに固定される第２固定部とが一体として形成されることを特徴とする。
【０００８】
この構成によれば、１台の機器に複数のケーブルが接続されている際に、コネクタ標示装置を、機器側の第１コネクタと、ケーブル側の第２コネクタとに固定することにより、そのままの状態では当該コネクタに関する作業（例えば、抜き差し等）ができないようにして、当該コネクタが作業対象外であることを安全かつ効率的に標示することができる。
【０００９】
また、本発明の上記コネクタ標示装置において、外面に前記ケーブルに関する情報が示されていることとしてもよい。
【００１０】
この構成によれば、コネクタ標示装置により、第１コネクタ及び第２コネクタの接続箇所が見えない状態になっていたとしても、コネクタ標示装置の外面にケーブルに関する情報が示されているので、外部から当該情報を確認することができる。
【００１１】
また、本発明の上記コネクタ標示装置において、前記第１固定部は、前記第１コネクタから取り外し可能であり、前記第２固定部は、前記第２コネクタ及び前記ケーブルに沿って前記第１コネクタから離隔する方向へスライド可能であることとしてもよい。
【００１２】
この構成によれば、コネクタ標示装置を、機器側の第１コネクタから取り外し、第２コネクタ及びケーブルに沿って手前に引くようにスライドさせることにより、第１コネクタ及び第２コネクタの接続箇所が露出して、手操作ができる空間が確保されるので、当該コネクタに関する作業ができるようになる。また、コネクタ標示装置は、スライドしただけで、第２コネクタ又はケーブルに付いているので、作業者は、作業中であっても、コネクタ標示装置の外面に示されている、ケーブルの情報を確認できるとともに、作業終了後に忘れることなく、コネクタ標示装置を元の位置に戻すことにより、再度作業対象外の標示を行うことができる。
【００１３】
なお、本発明は、コネクタ標示方法を含む。その他、本願が開示する課題及びその解決方法は、発明を実施するための形態の欄、及び図面により明らかにされる。
【発明の効果】
【００１４】
本発明によれば、コネクタの作業対象外標示を安全かつ効率的に行うことができる。
【図面の簡単な説明】
【００１５】
【図１】コネクタ１がポート３に挿設されている状態を示す図である。
【図２】クリップ４がコネクタ１及びポート３に装着されている状態を示す図である。
【図３】カバー５をポート３から容易に外せる構造例を示す図である。
【図４】コネクタ１及びクリップ４に関する作業の手順を示すフローチャートである。
【発明を実施するための形態】
【００１６】
以下、図面を参照しながら、本発明を実施するための形態を説明する。本発明の実施の形態に係るクリップ（コネクタ標示装置）は、機器にケーブルを接続している際に、機器側のポート（第１コネクタ）を挟み込むとともに、ケーブル側のコネクタ（第２コネクタ）を固定するものであり、そのままではコネクタがポートから抜けない状態となっている。これにより、当該コネクタが作業対象外であることを簡単に標示することができる。
【００１７】
次に、コネクタに関する作業を行う際には、クリップをポートから離隔する方向にスライドさせることにより、ポートと、コネクタとの接続部分が見えるようになり、作業対象外の標示が解除される。一方、その他のポート及びコネクタには、クリップが継続して装着されているので、作業中の危険区画標示となる。
【００１８】
≪クリップの構成≫
図１は、コネクタ１がポート３に挿設されている状態を示す図である。図１（ａ）は平面図を示し、図１（ｂ）は側面図を示し、図１（ｃ）はパネル２側から見た正面図を示し、図１（ｄ）はコネクタ１の後方から見た背面図を示す。コネクタ１は、通信ケーブルの端部に設けられ、通信機器のポート３に接続され、データ通信を可能とする接続器である。パネル２は、通信機器の一面を形成する板材である。ポート３は、複数のもの（図１では１つ）がパネル２に凸設され、通信ケーブルのコネクタ１を接続する接続口である。
【００１９】
図２は、クリップ４がコネクタ１及びポート３に装着されている状態を示す図である。図２（ａ）は平面図を示し、図２（ｂ）は側面図を示し、図２（ｃ）はパネル２側から見た正面図を示し、図２（ｄ）はコネクタ１の後方から見た背面図を示す。クリップ４は、カバー５、留め具６及び接続部７からなる。カバー５は、コネクタ１と、ポート３との接続部分を覆う部分であり、人の手でポート３に対して着脱可能であるとともに、一旦装着されると簡単には外れないようにポート３に固定され、一方、外面にコネクタ１の回線名称等を表示する。
【００２０】
留め具６は、図２（ｂ）及び（ｄ）に示すように、Ｃ字型の円筒形状になっており、人の手でコネクタ１に対して着脱可能であるとともに、未装着時に留め具６の内径がコネクタ１の外径より短い弾性体になっているので、一旦装着されると、所定の付勢力により簡単には外れないようにコネクタ１に固定される。なお、留め具６は、手錠の仕組みのように、一度固定すると開錠しない限り外れないようにロックしてもよい。接続部７は、カバー５と、留め具６とをつないで一体化する。
【００２１】
カバー５は、図２（ｃ）及び（ｄ）に示すようにヘッドフォン状に形成され、平面である両側面と、曲面である上面とからなり、緩衝材８、カードケース９及びカード１０を備える。緩衝材８は、カバー５のうち、ポート３を挟み込む両側面にそれぞれ設けられ、カバー５をポート３に装着したときに、その間の力を柔らげる。緩衝材８の材質は、例えば、スポンジやフェルト等であり、ポート３に接する面には粘着シートが設けられて、ずれにくいようになっている。なお、カバー５の両側面が緩衝材８を介してポート３を所定の付勢力で挟み込めるように、カバー５の上面は、ポート３に未装着のときに、両側面の緩衝材８同士の間隔がポート３の幅より短い弾性体により形成される。従って、カバー５をポート３に装着する際には、緩衝材８同士の間隔を一旦ポート３の幅より広げる必要がある。
【００２２】
カードケース９は、カバー５の上面に設けられる透明フィルムであり、カード１０が挿入され、そのカード１０に記載されている情報が外部から視認可能になっている。カード１０は、カードケース９に挿入される紙等であり、コネクタ１を端部とする通信ケーブルのケーブル名や回線名称等の情報が記載される。
【００２３】
以上によれば、クリップ４をポート３及びコネクタ１に装着した状態においては、カバー５が緩衝材８を介してポート３を挟み込み、留め具６がコネクタ１を固定し、接続部７がカバー５及び留め具６を一体化しているので、コネクタ１がポート３から外れるのを防止することができる。また、カバー５のカードケース９にカード１０が挿入されるので、カード１０に記載された情報（回線名称等）を確認することができる。
【００２４】
次に、作業者は、クリップ４が装着されていることで、コネクタ１及びポート３の接続部分が見えないので、当該コネクタ１は作業対象外であり、接触禁止の危険区画であることを認識することができる。そして、コネクタ１の抜き差し作業等を行う際には、クリップ４を、コネクタ１及び通信ケーブルに沿って、ポート３から離隔する方向にずらす。これにより、コネクタ１及びポート３の接続部分が露出して、手操作ができる空間が確保されるので、コネクタ１の抜き差し等の作業が行えるようになる。また、クリップ４は、手前にスライドしているが、カード１０は見えるので、カード１０に記載された、通信ケーブルの情報を確認することができる。
【００２５】
なお、コネクタ１の作業対象外標示を解除する際に、コネクタ１及びポート３の接続部分が見えればよく、カード１０の記載内容を見る必要がなければ、カバー５をポート３から外した後、留め具６の軸方向を中心としてクリップ４を横に回転させてもよいし、接続部７に蝶番（ヒンジ）を設けて、留め具６をコネクタ１に固定したまま、蝶番を中心にカバー５を回転させて、通信ケーブル側に倒してもよい。
【００２６】
図３は、カバー５をポート３から容易に外せる構造例を示す図である。図３（ａ）は、カバー５がポート３に装着されている状態を示す。カバー５の上部曲面の内面に、逆方向に湾曲した２つの曲面１１が、それぞれの上部曲面（半分）に向かい合うように設けられる。図３（ｂ）は、カバー５がポート３から外し易くなった状態を示す。図３（ａ）に示すカバー５の上面の、中央部分を人の指で鉛直方向に押すことにより、その中央部分が下がると同時に、２つの曲面１１の一端が下がる。曲面１１は、ポート３の上面に接しているので、その一端が下がると、その他端が上がる。曲面１１の他端が上がると同時に、カバー５のうち、上部曲面と、両側面との境界部分が上がる。そうすると、カバー５の上部曲面が平面に近付くので、両側面が広がることになる。これにより、緩衝材８がポート３から離隔するので、カバー５をポート３から容易に外すことができる。
【００２７】
≪作業の手順≫
図４は、コネクタ１及びクリップ４に関する作業の手順を示すフローチャートである。本作業の前には、通信機器のパネル２に設けられた、すべてのポート３にコネクタ１が挿設されているものとする。
【００２８】
作業者は、最初にすべてのポート３及びコネクタ１に作業対象外標示を行う。詳細には、まず、ポート３の個数分のクリップ４を用意し、各コネクタ１に関する情報（通信ケーブルの回線名称等）をカード１０に記載し、各クリップ４のカードケース９にカード１０を挿入する（Ｓ４０１）。次に、各クリップ４を、カード１０に記載した情報に対応するコネクタ１及びポート３に装着する（Ｓ４０２）。これにより、各コネクタ１の作業対象外標示が完了する。なお、カード１０の挿入は、クリップ４を外した状態で行うので、カードケース９やカード１０が多少小さくても支障はなく、クリップ４を装着した後にカード１０の抜き差しはしないので、ポート３が上下に配置されていても問題はない。
【００２９】
続いて、作業者は、必要に応じてコネクタ１に関する作業を行う。詳細には、まず、作業対象となるポート３及びコネクタ１に装着されているクリップ４をポート３から外し、コネクタ１側にずらす（Ｓ４０３）。これにより、作業を行うコネクタ１の作業対象外標示を解除することができ、作業を行わない他のコネクタ１と区別することができる。例えば、この時点で、作業者が交代したとしても、各クリップ４の装着又は未装着の状態に応じて、各コネクタ１が作業の対象外か、対象かを識別できる。
【００３０】
次に、作業者は、コネクタ１の抜き差し等の作業を実施する（Ｓ４０４）。クリップ４がコネクタ１側にずれているので、ポート３と、コネクタ１との接続部分を見ることができ、コネクタ１に関する作業を実施することができる。そして、コネクタ１の作業が終了すれば、コネクタ１をポート３に挿設し、クリップ４を再度ポート３及びコネクタ１に装着する（Ｓ４０５）。これにより、再び、すべてのポート３及びコネクタ１に作業対象外標示が施された状態になる。なお、Ｓ４０３の時点で、クリップ４がコネクタ１に付いているので、作業者は、忘れずにクリップ４を再装着することができる。
【００３１】
以上説明した本発明の実施の形態によれば、ポート３に挿設されているコネクタ１の作業対象外標示を安全かつ効率的に行うことができる。
【００３２】
詳細には、まず、図４のＳ４０１に示すように、通信ケーブルの回線名称等の情報を記載したカード１０をカードケース９に挿入することにより、当該情報を視認できるので、従来使用していた丸札が不要になり、［発明が解決しようとする課題］で述べたような、丸札の繁雑さを解消することができる。
【００３３】
次に、Ｓ４０２に示すように、作業対象外の標示を行う際に、従来のビニールテープによる養生の代わりに、事前にクリップ４をすべてのコネクタ１及びポート３に装着することにより、作業の都度、危険区画標示を行わなくて済む。クリップ４は安全かつ簡単に装着できるので、コネクタ１やポート３に支障を与えるリスクがなくなる。また、狭いスペースであっても、効率よく危険区画標示を施すことができる。
【００３４】
そして、Ｓ４０３〜Ｓ４０５に示すように、クリップ４をずらしてから、コネクタ１に関する作業を行い、作業終了後に、クリップ４を再度コネクタ１及びポート３に装着するので、従来のビニールテープとは違って、クリップ４は再利用することができる。
【００３５】
以上によれば、予め、作業対象外を標示するクリップ４をすべてのコネクタ１及びポート３に装着しておき、コネクタ１の作業を行う際には、クリップ４をずらすことで、一時的に作業対象外標示を解除することにより、コネクタ１に関する保守運用を安全かつ効率的に進めることが可能になる。
【００３６】
≪その他の実施の形態≫
以上、本発明を実施するための形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、以下のような実施の形態が考えられる。
【００３７】
（１）コネクタ１に関する情報が記載されたカード１０を、カバー５に取付けられたカードケース９に挿入するように記載したが、他の方法で情報が分かるようにしてもよい。例えば、情報が記載されたシールをカバー５に貼るようにしてもよいし、不揮発性の筆記用具で情報をカバー５に書き込んでもよい。
【００３８】
（２）図２（ｂ）において、留め具６は、横方向にさらに長くてもよい。これによれば、留め具６と、コネクタ１との接触面積が大きくなり、横方向の摩擦力が増加して、留め具６によるコネクタ１の固定が安定する。
【符号の説明】
【００３９】
１      コネクタ（第２コネクタ）
２      パネル
３      ポート（第１コネクタ）
４      クリップ（コネクタ標示装置）
５      カバー（第１固定部）
６      留め具（第２固定部）
７      接続部
【図１】
0005898508.tif 000002
【図２】
0005898508.tif 000003
【図３】
0005898508.tif 000004
【図４】
0005898508.tif 000005